(57)【要約】【課題】防護柵の支柱とビーム又はパネルの横桟との連結が非常に容易で、連結作業に係る作業効率が非常に優れ、多様な道路勾配や道路線形にも使用可能で、部材コストの低減が可能で、防護柵の景観が良好なブラケット体及び防護柵を提供する。【解決手段】ブラケット体は、防護柵のビーム又は横桟に固定するブラケットと、支柱に連結するブラケットバンドからなり、ブラケットはブラケットバンドと連結可能で、且つ、連結部を軸としてブラケットが回転可能であり、ブラケットバンドは支柱と連結可能で、且つ、支柱を軸としてブラケットバンドが回転可能であることを特徴とする。また、ブラケットバンドは、支柱に固定されるＣ字状の略筒状の支持体と、支持体の両縁部から支持体と反対側に延びる一対の側板とからなり、側板には連結孔に嵌合する連結突起が設けられ、連結突起にはボルトが貫通可能な貫通孔が設けられ、側板は支柱の外径以下の間隔を有しても良い。【選択図】  図１
2008075401.tif 000002
【特許請求の範囲】
【請求項１】
防護柵を構成する支柱と、ビーム又はパネルを連結固定するためのブラケット体であり、該パネルは少なくとも一対の横桟と縦桟とからなり、該ブラケット体は、該ビーム又は該横桟に固定されるブラケットと、該支柱に固定するブラケットバンドからなり、該ブラケットは該ブラケットバンドと連結可能で、且つ、該ブラケットは該ブラケットバンドの連結部で回転可能で、且つ、該ブラケットバンドは該支柱を軸として回転可能であることを特徴とするブラケット体。
【請求項２】
前記ブラケットは、前記ビーム又は前記横桟が挿通可能なビーム挿入部と、前記ブラケットバンドの全部又は一部を収納する収納部を有し、該ビーム挿入部は長手方向に該ビームが挿入量を調整可能な空間を有し、該ビームの挿入量を調整可能に固定する固定手段と該ブラケットバンドを連結可能にする連結孔を備えたことを特徴とする請求項１に記載のブラケット体。
【請求項３】
前記ブラケットは前記ビーム又は前記横桟を挿入可能な略筒状で形成し、前記ブラケットバンドが挿通可能なスリットを有していることを特徴とする請求項１又は２に記載のブラケット体。
【請求項４】
前記ブラケットバンドは、前記支柱に固定されるＣ字状の略筒状の少なくとも一つの支持体と、該支持体の両縁部から支持体と反対側に延びる一対の側板とからなり、該側板には前記連結孔に嵌合する連結突起が設けられ、該連結突起にはボルトが貫通可能な貫通孔が設けられ、該側板は、前記支柱の外径以下の間隔を有していることを特徴とする請求項１〜３のいずれかに記載のブラケット体。
【請求項５】
前記ブラケットバンドの前記支持体内壁に前記支柱に係止される係止用突起が設けられていることを特徴とする請求項４に記載のブラケット体。
【請求項６】
前記ブラケットバンドの前記支持体及び／又は前記側板の縁部の少なくとも一方側に前記支柱用キャップが設けられていることを特徴とする請求項４又は５に記載のブラケット体。
【請求項７】
複数の支柱と、複数のビーム又は複数のパネルと、該支柱と該ビーム又は該パネルを相互に連結固定するためのブラケット体からなる防護柵であって、該パネルは少なくとも一対の横桟と縦桟とからなり、前記ブラケット体は、該ビーム又は該横桟に固定されるブラケットと、該支柱に固定するブラケットバンドからなり、該ブラケットは該ブラケットバンドと連結可能で、且つ、該ブラケットは該ブラケットバンドの連結部で回転可能で、且つ、該ブラケットバンドは支柱を軸として回転可能であることを特徴とする防護柵。
【請求項８】
前記パネルの前記縦桟は、前記横桟との係合部を軸として回転可能であることを特徴とする請求項７に記載の防護柵。
【請求項９】
前記ブラケットは、前記ビーム又は前記横桟が挿通可能なビーム挿入部と、前記ブラケットバンドの全部又は一部を収納する収納部を有し、該ビーム挿入部は長手方向に該ビームが挿入量を調整可能な空間を有し、該ビームの挿入量を調整可能に固定する固定手段と該ブラケットバンドを連結可能にする連結孔を備えたことを特徴とする請求項７又は８に記載の防護柵。
【請求項１０】
前記ブラケットは前記ビーム又は前記横桟を挿入可能な略筒状で形成し、前記ブラケットバンドが挿通可能なスリットを有していることを特徴とする請求項７〜９のいずれかに記載の防護柵。
【請求項１１】
前記ブラケットバンドは、前記支柱に固定されるＣ字状の略筒状の少なくとも一つの支持体と、該支持体の両縁部から該支持体と反対側に延びる一対の側板とからなり、該側板には前記連結孔に嵌合する連結突起が設けられ、該連結突起にはボルトが貫通可能な貫通孔が設けられ、該側板は、前記支柱の外径以下の間隔を有していることを特徴とする請求項７〜１０のいずれかに記載の防護柵。
【請求項１２】
前記支柱側面には係止用孔が設けられ、前記ブラケットバンドの前記支持体内壁には該係止用孔に係止する係止用突起が設けられていることを特徴とする請求項１１に記載の防護柵。
【請求項１３】
前記ブラケットバンドの前記支持体及び／又は前記側板の縁部の少なくとも一方側に前記支柱用のキャップが設けられていることを特徴とする請求項１１又は１２に記載の防護柵。
【発明の詳細な説明】
【技術分野】
【０００１】
本発明は、歩行者が車道を横断することを防止したり、道路から川・水路への転落防止を目的として設置される防護柵に使用されるブラケットに関するものであり、多様な道路勾配及び道路線形に自在に対応可能なブラケット体及びこのブラケット体を使用した防護柵に関する。
【背景技術】
【０００２】
車道と歩道等の境界に使用され、歩行者の横断防止、川・水路への転落防止を目的とした防護柵としては、支柱にビーム又は枠状のパネルの横桟を連結固定したものがある。支柱とビーム又はパネルの横桟との連結は、ブラケットと呼ばれる連結用部材を用いるのが一般的である。従来使用されていたブラケットとしては実開昭６３−１１６５１５号公報に開示されたものがある。
【０００３】
この防護柵用ブラケットは、円弧状の支柱挟持部と、横桟挟持部とからなり、横桟挟持部の先端部を除く上下端には折り曲げ片が形成されている。このブラケットを使用することにより、ビーム又はパネルの横桟を道路の勾配や曲線に対して一方又は同時に所定の角度範囲内で自在に設置することができるという特徴を有している。また、一枚の平板を折り曲げて形成されるため、支柱に固定する支柱挟持部と、ビーム又はパネルの横桟を固定する横桟挟持部が一体形成され、部材点数が少ないという特徴も有している。
【０００４】
図１３は、実開昭６３−１１６５１５号公報に開示されたブラケットを使用した支柱と横桟の連結工程を示した図である。なお、図１３では、説明の便宜上、部分断面図としている。（Ｓｔｅｐ１）まず、どちらかの支柱にブラケットをボルトで仮止めする。ブラケットを支柱に仮止めする際は、ブラケットに設けられた２つの貫通穴の支柱側の貫通穴にボルトを、支柱からブラケットが滑り落ちない程度に締め付ける。説明の便宜上、先に仮止めしたブラケットを基準ブラケット、もう一方をフリーブラケットとする。（Ｓｔｅｐ２）次に、ビーム又は横桟を基準ブラケット内に挿入する。この時、ビーム又は横桟をできる限り基準ブラケットの奥の方まで押し込む。従来のブラケットは、ボルトで仮止めしているため横桟挟持部が筒状になっており、ビーム又は横桟を横桟挟持部の開口部から挿入しなければならない。そのため、一対のブラケットが相対する場合は、一方のブラケットにビーム又は横桟を奥まで挿入する必要がある。更に、ビーム又は横桟の長さよりも、ブラケット開口部間の方が短いため、図示されたようにフリーブラケットの開口部を別方向にし、フリーブラケットを回転させながらビーム又は横桟を挿入する必要がある。（Ｓｔｅｐ３）フリーブラケットの高さ位置や向き等を決定した後、ボルトによって支柱に仮止めし、ビーム又は横桟の側面に設けられたボルト孔とブラケットに設けられたボルト孔の位置が合致するようにビーム又は横桟を移動させる。（Ｓｔｅｐ４）次に、基準ブラケット及びフリーブラケット共に、仮止めしていたボルトを強固に締結し、両ブラケットとビーム又は横桟をボルト締結する。この様にして全てのビーム又は横桟と支柱を連結していた。
【特許文献１】実開昭６３−１１６５１５号公報
【発明の開示】
【発明が解決しようとする課題】
【０００５】
しかし、実開昭６３−１１６５１５号公報に開示されたブラケットは、支柱とビーム又は横桟の連結が大変で、作業効率が非常に悪いという問題を有していた。従来のブラケットは、通常時横桟挟持部が放射状に開いているため、支柱に基準ブラケットを仮止めする時には、横桟挟持部を支柱に仮止めできる程度に閉じなければならない。しかし、従来のブラケットは一枚の鋼材から形成され、ある程度の板厚を有しているため、横桟挟持部を閉じるには相当の力を必要としていた。また、片手で横桟挟持部を閉じながらブラケットを支柱に固定し、もう一方の手でボルトを仮止めしなければならないため、作業が非常に大変で困難であるという問題を有していた。
【０００６】
更に、前記したとおり、ビーム又は横桟の位置や角度をこまめに変更しながらフリーブラケットと基準ブラケットの仮止めを行わなければならないため、作業工程数が増えてしまい、作業効率が著しく悪いという問題を有している。更に、フリーブラケットを仮止めするには、片手でフリーブラケットの横桟挟持部を閉じながらフリーブラケットの位置を固定し、もう一方の手でビーム又はパネルを保持しながらフリーブラケット内に挿入しなければならないため、非常に大変である。また、ビーム又はパネルを保持しながらフリーブラケット内に挿入した後は、ビーム又は横桟とフリーブラケットを持ち、もう一方の手でボルトを仮止めしなければならないため、作業が非常に大変であるという問題を有していた。
【０００７】
従来のブラケットで支柱とビームを連結する際は、隣り合う支柱の設置間隔の設置誤差を吸収するため、ビームに長孔を設け、ブラケットとボルト等で固定していた。そのボルトを軸として、ビームが回転し勾配に自在に対応していた。しかし、ビームに長孔を設けているため、ビームが支柱に近寄って連結した際、回転した時支柱に接触する場合がある。よって、回転した時ビームが支柱に干渉しないようビームの長孔分程度支柱からさらに遠ざけて回転中心を設ける必要があったため、ビームの回転中心が支柱から離されていた。その結果、ビーム及びパネルの横桟が勾配と平行な仮想線と交差し、複数のビーム及びパネルを設置した場合、ビーム及びパネルの横桟が一直線でなく、支柱部で断続的になってしまい、景観性に欠けるという問題を有していた。また、パネルの角度が道路の勾配よりも大きくなり、勾配の適応範囲を有効活用できないという問題もあった。
【０００８】
また、従来のブラケットは、上下端に形成された折り曲げ片が、ビーム又は横桟の径に対して間隙を設けていたため、ビームの径よりブラケットが上下方向に突出する構造であるため、横桟をブラケットを介して、支柱に取り付けた際、道路側及び歩道側から見た場合、ブラケットが際だって目立つという問題を有していた。また、横桟軸方向から見た場合はブラケットとビームの間隙が目立つという問題も有していた。
【０００９】
以上のことから、防護柵の支柱とビーム又はパネルの横桟との連結が非常に容易で、連結作業に係る作業効率に優れ、多様な道路勾配や道路線形にも使用可能で、部材コストの低減が可能で、防護柵の景観が良好なブラケット体及びこのブラケット体を使用した防護柵の開発が望まれていた。
【課題を解決するための手段】
【００１０】
上記課題を解決するため本発明に係るブラケット体は、パネルは少なくとも一対の横桟と縦桟とからなり、ブラケット体は、ビーム又は横桟に固定されるブラケットと、支柱に固定するブラケットバンドからなり、ブラケットはブラケットバンドと連結可能で、且つ、ブラケットはブラケットバンドの連結部で回転可能で、且つ、ブラケットバンドは支柱を軸として回転可能であることを特徴とするブラケット体。
【００１１】
また、ブラケットは、ビーム又は横桟が挿通可能なビーム挿入部と、ブラケットバンドの全部又は一部を収納する収納部を有し、ビーム挿入部は長手方向にビームが挿入量を調整可能な空間を有し、ビームの挿入量を調整可能に固定する固定手段とブラケットバンドを連結可能にする連結孔を備えていても良い。また、ブラケットはビーム又は横桟を挿入可能な略筒状で形成し、ブラケットバンドが挿通可能なスリットを有しても良い。
【００１２】
また、ブラケットバンドは、支柱に固定されるＣ字状の略筒状の支持体と、支持体の両縁部から支持体と反対側に延びる一対の側板とからなり、側板には連結孔に嵌合する連結突起が設けられ、連結突起にはボルトが貫通可能な貫通孔が設けられ、側板は、支柱の外径以下の間隔を有しても良い。また、ブラケットバンドは、少なくとも一つの支持体からなっても良い。更に、ブラケットバンドの支持体内壁に支柱に係止される係止用突起が設けられていても良い。また、ブラケットバンドの支持体及び／又は側板の縁部の少なくとも一方側に支柱用のキャップが設けられていても良い。
【００１３】
また、上記課題を解決するため本発明に係る防護柵は、複数の支柱と、複数のビーム又は複数のパネルと、支柱と、ビーム又はパネルを相互に連結固定するためのブラケット体からなり、パネルは少なくとも一対の横桟と縦桟とからなり、ブラケット体は、ビーム又は横桟に固定されるブラケットと、支柱に固定するブラケットバンドからなり、ブラケットはブラケットバンドと連結可能で、且つ、ブラケットはブラケットバンドの連結部で回転可能で、且つ、ブラケットバンドは支柱を軸として回転可能であることを特徴とする防護柵。また、パネルの縦桟は、横桟との係合部を軸として回転可能であっても良い。
【００１４】
また、ブラケットは、ビーム又は横桟が挿通可能なビーム挿入部と、ブラケットバンドの全部又は一部を収納する収納部を有し、ビーム挿入部は長手方向にビームが挿入量を調整可能な空間を有し、ビームの挿入量を調整可能に固定する固定手段とブラケットバンドを連結可能にする連結孔を備えても良い。また、ブラケットはビーム又は横桟を挿入可能な略筒状で形成し、ブラケットバンドが挿通可能なスリットを有しても良い。
【００１５】
また、ブラケットバンドは、支柱に固定されるＣ字状の略筒状の支持体と、支持体の両縁部から支持体と反対側に延びる一対の側板とからなり、側板には連結孔に嵌合する連結突起が設けられ、連結突起にはボルトが貫通可能な貫通孔が設けられ、側板は、支柱の外径以下の間隔を有しても良い。また、ブラケットバンドは、少なくとも一つの支持体からなっても良い。更に、支柱側面には係止用孔が設けられ、ブラケットバンドの支持体内壁にはこの係止用孔に係止する係止用突起が設けられても良い。また、ブラケットバンドの支持体及び／又は側板の縁部の少なくとも一方側に支柱用のキャップが設けられても良い。
【発明の効果】
【００１６】
本発明に係るブラケット体は、ビーム又はパネルの横桟に固定するブラケットと、支柱に連結するブラケットバンドからなり、ブラケットはブラケットバンドと連結可能で、且つ、連結部を軸としてブラケットが回転可能であり、ブラケットバンドは支柱と連結可能で、且つ、支柱を軸としてブラケットバンドが回転可能であるため、どの様な形状や勾配の道路にも防護柵が設置可能となる。
【００１７】
また、ブラケットにビーム挿入部を設け、ビーム長手方向に調整可能に挿入可能でビームを固定する手段を設け、ブラケットバンドの連結部で回転可能としたため、ビームの支柱との干渉を考慮して、回転中心を支柱から遠ざける必要が無く、支柱近傍に設けることが可能であるため、図１１に示されたように、ビーム及びパネルの横桟が勾配と平行に近付き勾配の適応範囲を有効に活用することができると共に、複数のビームやパネルを設置した場合、ビーム及びパネルは一直線に近付き、支柱部で断続的にならず、景観性が向上する。
【００１８】
また、図１２に示されたように、ビーム又はパネルの横桟にブラケットを取り付け、支柱にブラケットバンドを取り付けた後、ブラケットバンドの上方からビーム又はパネルを落とし込んでブラケットとブラケットバンドの連結固定が可能であるため、複雑で困難な作業が無く、連結固定作業の工程数が減少され、作業効率が飛躍的に向上する。
【００１９】
また、ブラケットにはスリットが設けられているため、ブラケットバンドの側板の回転域が広がり、防護柵の設置可能範囲が広がり、汎用性の高い防護柵を提供することができる。更に、ブラケットにスリットを設けたことにより、ビームの回転中心が支柱近傍に位置し、ビーム又はパネルの横桟が道路の勾配とより平行に近付き、勾配の適応範囲を有効に活用することができる。更に、スリットを設けたことにより、ブラケットバンドの側板がブラケット内部まで挿入可能となり、ブラケットのコンパクト化、部材コストの低減、景観の向上に寄与することができる。
【発明を実施するための最良の形態】
【００２０】
本発明に係るブラケット体２について、図を参照にしながら説明する。図１は、本発明に係るブラケット体２を示した説明図である。また、図２は、本発明に係るブラケット体２を使用した防護柵２８を示した説明図であり、図３は図２の分解図である。なお、これらの図は本発明を説明するためだけのものであり、本発明を何ら限定するものではない。
【００２１】
本発明に係るブラケット体２は、支柱３０に連結するブラケットバンド１４と、ブラケットバンド１４に連結するブラケット４とからなる。また、本発明に係る防護柵２８は、支柱３０と、パネル３４又はビーム３２が交互に連続してなることを特徴とする。また、パネル３４は少なくとも一対の横桟３６と縦桟３８とからなる。なお、図８中ではパネル３４の横桟３６が一対となっているが、このパネル３４は複数の横桟３６を有していても良い。また、これらの図中に示されているビーム３２又はパネル３４の横桟３６は円形形状に示されているが、略円形、略矩形、略三角形等でもよく、その形状は問わない。
【００２２】
本発明に係るブラケット４は、ビーム３２又は横桟３６が挿通可能なビーム挿入部１３と、後述するブラケットバンド１４の全部又は一部を収納する収納部１２を有し、ブラケットバンド１４と連結可能で、ブラケットバンド１４との連結部を軸としてブラケット４が回転可能であることを特徴とする。ビーム挿入部１３は長手方向にビーム３２又はパネル３４の横桟３６が挿入量を調整可能な空間を有し、ビームの挿入量を調整可能に固定する固定手段とブラケットバンド１４を連結可能にする固定孔６を備えている。図４は、本発明に係るブラケット４の一実施の形態を示した図である。このブラケット４は、パネル３４の横桟３６又はビーム３２を挿入可能な略筒状体であるのが良い。このブラケット４は全体が筒状である必要は無く、ビーム挿入部１３のみ略筒状体であっても良い。図４ではブラケット４がコ字状に形成されているが、Ｌ字状、Ｕ字状、円形、短形でも良い。また、図４では四角状に形成されているが、ビーム３２又はパネル３４の横桟３６の外形に密接するような形状であっても良く、適宜設定すれば良い。
【００２３】
また、収納部１２の形成位置や形状等については、ブラケットバンド１４の形状又は側板２２の形状や形成位置等に応じて適宜設定すれば良く、図４中に示されたように、ブラケット４の側面を段差状に設けても良い。この収納部１２は、図４に示された様に、一対の相対する側壁を有する形状であるのが良い。これは、本発明に係るブラケット４と、ブラケットバンド１４との連結部を軸とし、ブラケット４を回転可能にするため、ブラケット４の収納部１２に一対の相対する側壁を設けることで、ブラケット４とブラケットバンド１４とが連結しやすくなり、且つ、ブラケット４とブラケットバンド１４の連結部を軸としてブラケット４を回転可能とすることができる。ブラケット４に一対の相対する側壁を設けた場合、この側壁は平行に位置しているのが良いが、ビーム３２又はパネル３４の横桟３６の形状等に応じて適宜設定しても良い。
【００２４】
また、図４では、ブラケット４側面、又は、一対の相対する側壁には、ブラケット４とビーム３２又はパネル３４の横桟３６を固定するための固定孔６と、ブラケット４とブラケットバンド１４を連結するための連結孔８が設けられている。この固定孔６及び連結孔８の形成位置は特に限定しないが、ブラケット４中心軸と直角に位置する線のブラケットバンド１４側壁との交点上にそれぞれ一対ずつ設けられているのが良い。これにより、ブラケット４とブラケットバンド１４との連結部を軸としてブラケット４が回転可能となる。ブラケット４に収納部１２を設けた場合は、連結孔８は収納部１２に形成されるのが良い。固定孔６及び連結孔８の大きさ及び形状等については、ボルトの形状や大きさ、ブラケットバンド１４の形状、ビーム３２又はパネル３４の横桟３６に設けた連結孔８等の種々の条件を考慮して適宜設定すれば良い。また、図４ではブラケット４と、ビーム３２又はパネル３４の横桟３６の固定は、ブラケット４の固定孔６とビーム３２又はパネル３４の横桟３６に設けた孔とをボルトを挿通して固定しているが、他の固定手段を用いても良いし、ブラケット４とビーム３２又はパネル３４の横桟３６が密着しているか、筒状に近く形成されている場合は、固定手段を設けなくても良い。
【００２５】
また、図４では、ブラケット４には、ブラケットバンド１４が挿通可能なスリット１０を有している。本発明に係るブラケット体２は、ブラケット４とブラケットバンド１４との連結部を軸としてブラケット４が回転可能であることが特徴である。そして、ブラケット４回転時にブラケット４の側面とブラケットバンド１４の側板２２との衝突を回避するため、ブラケット４にスリット１０を設け、ブラケット４の回転域を広範囲にしようとするものである。このスリット１０は、図４に示されたように、ブラケット４の縁部から中心に向かって設けられ、相対する連結孔８の中心を通過する線と直交する面に沿って設けられているのが良い。スリット１０の形状、形成位置、大きさ等については、ブラケットバンド１４の側板２２の形状、大きさ等を考慮して衝突を回避しているように適宜設定すれば良い。
【００２６】
次に、本発明に係るブラケットバンド１４について説明する。本発明に係るブラケットバンド１４は、支柱３０に固定されるＣ字状の略筒状の支持体２０と、支持体２０の両縁部から支持体２０と反対側に延びる一対の側板２２とからなり、側板２２には連結孔８に嵌合する連結突起２４が設けられ、連結突起２４にはボルトが貫通可能な貫通孔２６が設けられ、側板は、支柱３０の外径以下の間隔を有している。また、ブラケットバンドは、少なくとも一つの支持体からなる。ブラケットバンド１４の各部位についての詳細は、以下の端部ブラケットバンド１６及び中部ブラケットバンド１８にて説明する。
【００２７】
図５は本発明に係るブラケットバンド１４の一実施の形態を示した説明図である。このブラケットバンド１４は、端部ブラケットバンド１６と中部ブラケットバンド１８とからなる。図７は、中部ブラケットバンド１８の一実施の形態を示した図である。中部ブラケットバンド１８は、断面Ｃ字状の略筒状体である支持体２０と、支持体２０の中心軸と平行な両縁部から支持体２０外に伸びる一対の側板２２とからなる。また、図６は、端部ブラケットバンド１６の一実施の形態を示した図である。端部ブラケットバンド１６は、断面Ｃ字状の略筒状体である２つの支持体２０と、２つの支持体２０を結ぶ２つの側板２２とからなり、２つの支持体２０の中心軸は一致する。また、本発明に係るブラケット体２は、図５に示されたように、端部ブラケットバンド１６の２つの支持体２０間に中部ブラケットバンド１８の支持体２０を挿入し、互いの支持体２０間に支柱３０を貫通させて使用するため、端部ブラケットバンド１６の２つの支持体２０は、中部ブラケットバンド１８の支持体２０外周面の幅方向以上の間隔を有しているのが良い。また、ブラケットバンド１４の支持体２０の径は、支柱３０と同径であっても良いが、ブラケットバンド１４の材料や可塑性等の条件に応じて支柱３０の径よりも若干小さくて形成しても良い。これにより、ブラケットバンド１４を支柱３０に連結する時、ブラケットバンド１４の支持体２０が弾性で縮まり、ブラケットバンド１４を支柱３０に仮止めすることが可能になる。
【００２８】
また、中部ブラケットバンド１８及び端部ブラケットバンド１６に設けられた一対の側板２２は平行に設けられているのが良い。これにより、ブラケットバンド１４の側板２２とブラケット４との連結部を軸としてブラケット４が回転可能となる。また、側板２２がブラケット４に設けたスリット１０内をスムースにすり抜けることができる。また、図６及び図７中では側板２２が三角形状になっているが、この形状に限定せず、四角形状であっても円形状であっても良く適宜設定すれば良い。また、この側板２２間の間隔は、支柱３０の直径以下であるのが良いが、材料、製造効率、強度等の条件を考慮して適宜設定すれば良い。側板２２間を支柱３０の直径以下の間隔にすることで、支持体２０の開口部から支柱３０が抜けなくなり、ブラケットバンド１４を支柱３０に連結しやすくなる。
【００２９】
また、ブラケットバンド１４とブラケット４の連結手段は適宜設定すれば良いが、図６及び図７に示されたように、側板２２にブラケット４の連結孔８に嵌合する連結突起２４を設けても良い。この連結突起２４を設けることによって、ブラケット４と連結孔８が嵌合し、連結時にブラケット４の位置決めが容易になる。特に、ビーム３２又はパネル３４を片手で保持しながら防護柵２８の組立をしなければならないため、ブラケットバンド１４とブラケット４との連結箇所を容易に位置決めでき、連結突起２４によって容易にブラケット４とブラケットバンド１４の連結が外れないため、作業効率が飛躍的に向上する。この連結突起２４は、貫通孔２６を設ける際にバーリング加工によって設けても良いし、円筒状の突起物を側板２２に取り付けても良く、適宜設定すれば良い。また、連結突起２４にはボルトが貫通可能な貫通孔２６が設けられていても良い。
【００３０】
また、ブラケットバンドの支持体２０及び／又は側板２２の縁部の少なくとも一方側には、支柱用キャップが設けられていても良い。また、端部ブラケットバンド１６の場合は、どちらか一方の支持体２０及び／又は側板２２に支柱用キャップが設けられているのが良い。これにより、特に支柱３０頂部近傍に設置するブラケットバンド１４の位置決めが非常に容易になり、作業効率が飛躍的に向上する。
【００３１】
また、ブラケットバンドの支持体内壁には、支柱に係止される係止用突起が設けられていても良い。この係止用突起は、中部ブラケットバンド１８及び／又は端部ブラケットバンド１６の支持体２０内壁に設けられていても良い。係止用突起の形状、形成位置等の条件については適宜設定すれば良い。支持体２０内壁に係止用突起を設けた時は、支柱３０に係止用穴を設けても良い。これにより、ブラケットバンド１４を支柱３０に仮止めする際の位置決めが非常に容易になり、作業効率が飛躍的に向上する。
【００３２】
次に、本発明に係るブラケット体２を使用して防護柵２８を組み立てる組立方法を説明する。まず、ビーム３２端部又はパネル３４の横桟３６端部にブラケット４を取り付ける。ビーム３２端部近傍又はパネル３４の横桟３６端部近傍にはボルト用孔が設けられており、ブラケット４の固定孔６と一致させ、ボルト・ナットで連結固定する。
【００３３】
次に、端部ブラケットバンド１６の２つの支持体２０間に中部ブラケットバンド１８の支持体２０を挿入し、互いの支持体２０内に支柱３０を貫通させ、支持体２０の高さ位置、向き等を設定して設置する。なお、ブラケット４を取り付けたビーム３２又はパネル３４の横桟３６をブラケットバンド１４の上方から落とし込む際、ブラケット４にスリットを設けておけば、位置決めが容易である。そして、ブラケット４を取り付けたビーム３２又はパネル３４を、図１２に示されたように、ブラケットバンド１４の上方から落とし込み、ブラケットバンド１４の側板２２に設けられた連結突起２４をブラケット４の連結孔８に嵌合させ、ボルト・ナットで連結固定する。ブラケットバンド１４の支柱３０への設置は、支柱３０に挟持して設置しても良いし、ブラケットバンド１４の支持体２０内壁に設けた係止用突起を係止孔に係合して設置しても良い。また、上側のビーム３２又はパネル３４の横桟３６に対応するブラケットバンド１４は、予め支柱用キャップを取り付けておき、下側のビーム３２又はパネル３４の横桟３６に対応するブラケットバンド１４を予め支柱３０に設置し、後から支柱用キャップを設置しても良い。
【００３４】
本発明に係るブラケット体２は、ブラケット４がブラケットバンド１４との連結部を軸として回転可能であるため、図８及び図９に示されたように、勾配を有する道路でも設置が可能である。更に、ブラケットバンド１４が支柱３０を軸として回転可能であるため、図１０に示されたように、曲線形の道路でも設置が可能であり、多様な道路に防護柵２８を設置することができる。
【００３５】
また、本発明は、ビーム３２又は横桟３６に固定するブラケット４と支柱３０に固定するブラケットバンド１４からなるので、支柱径が大小変更する場合であっても、支柱径にあったブラケットバンド１４のみ交換し、ブラケット４は支柱径の大小にかかわらず、共有して使用することができる。従来技術では、支柱径に応じたブラケットが必要となるが、本発明では下降が容易なブラケットバンド１４の交換で対応でき、汎用性が高い。
【００３６】
以上が本発明に係るブラケット体２及びブラケット体２を使用した防護柵２８についての説明であるが、本発明の目的を逸脱しない限り種々の条件及び設定は変更が可能である。
【図面の簡単な説明】
【００３７】
【図１】本発明に係るブラケット体を示した説明図である。
【図２】本発明に係るブラケット体を使用した防護柵用を示した説明図である。
【図３】本発明に係るブラケット体を使用した防護柵用の分解図である。
【図４】本発明に係るブラケットの一実施の形態を示した説明図である。
【図５】本発明に係るブラケットバンドの一実施の形態を示した説明図である。
【図６】本発明に係る端部ブラケットバンドの一実施の形態を示した説明図である。
【図７】本発明に係る中部ブラケットバンドの一実施の形態を示した説明図である。
【図８】本発明に係るブラケット体を使用した防護柵用の一実施例を示した説明図である。
【図９】図８中のＡ部を拡大した部分拡大図である。
【図１０】本発明に係るブラケット体を使用した防護柵用の一実施例を示した説明図である。
【図１１】従来と本発明に係るブラケット体を使用した時の防護柵の状態を示した説明図である。
【図１２】本発明に係るブラケット体を使用した防護柵の組み立てを示した説明図である。
【図１３】従来のブラケットを使用した防護柵の組み立て工程を示した図である。
【符号の説明】
【００３８】
２  ブラケット体
４  ブラケット
６  固定孔
８  連結孔
１０  スリット
１２  収納部
１３  ビーム挿入部
１４  ブラケットバンド
１６  端部ブラケット
１８  中部ブラケット
２０  支持体
２２  側板
２４  連結突起
２６  貫通孔
２８  防護柵
３０  支柱
３２  ビーム
３４  パネル
３６  横桟
３８  縦桟
【図１】
2008075401.tif 000003
【図２】
2008075401.tif 000004
【図３】
2008075401.tif 000005
【図４】
2008075401.tif 000006
【図５】
2008075401.tif 000007
【図６】
2008075401.tif 000008
【図７】
2008075401.tif 000009
【図８】
2008075401.tif 000010
【図９】
2008075401.tif 000011
【図１０】
2008075401.tif 000012
【図１１】
2008075401.tif 000013
【図１２】
2008075401.tif 000014
【図１３】
2008075401.tif 000015
【手続補正書】
【提出日】平成18年9月28日(2006.9.28)
【手続補正１】
【補正対象書類名】明細書
【補正対象項目名】００３５
【補正方法】変更
【補正の内容】
【００３５】
また、本発明は、ビーム３２又は横桟３６に固定するブラケット４と支柱３０に固定するブラケットバンド１４からなるので、支柱径が大小変更する場合であっても、支柱径にあったブラケットバンド１４のみ交換し、ブラケット４は支柱径の大小にかかわらず、共有して使用することができる。従来技術では、支柱径に応じたブラケットが必要となるが、本発明では加工が容易なブラケットバンド１４の交換で対応でき、汎用性が高い。